(57)【要約】【課題】バウンス機能を有して配光特性に優れた小型の閃光発光装置を提供する。【解決手段】閃光発光部と光学部材の間の狭い空間に、導光板と反射板からなる導光部材を挿入・退避可能とする。閃光発光部からの射出光束を導光部材によって入射面と垂直方向に導光し、通常閃光発光装置をバウンス可能な閃光発光装置に変換する。【選択図】図３
2009265233.tif 000002
【特許請求の範囲】
【請求項１】
閃光を発光する光源と、前記光源の周りに配置されて、前記光源からの前記閃光を反射するリフレクタと、前記光源及び前記リフレクタから射出された前記閃光を透過する発光パネルと、を有する閃光発光部を有する閃光発光装置において、
前記光源からの前記閃光を前記リフレクタの光軸とは垂直な方向に導光する光学部材と、
前記閃光発光部の前記リフレクタと前記発光パネルとの間の挿入位置と、前記閃光発光部の前記リフレクタと前記発光パネルとの間から退避した退避位置と、の間で前記光学部材を前記方向に沿って移動する移動手段と、
を設け、
前記光学部材が前記挿入位置にある時にバウンス発光を行い、
前記光学部材が前記退避位置にある時に前記閃光発光部による閃光発光を行うことを特徴とする閃光発光装置。
【請求項２】
前記光学部材は、
前記光源側に配置され、透明体からなる導光部材と、
前記導光部材の入射面とは反対側に配置された反射部材と、
を有することを特徴とする請求項１に記載の閃光発光装置。
【請求項３】
前記導光部材は、前記入射面と反対側の面に、全反射によって前記方向に前記閃光を導光する反射手段を有することを特徴とする請求項２に記載の閃光発光装置。
【請求項４】
前記導光部材は平板部材であることを特徴とする請求項２又は３に記載の閃光発光装置。
【請求項５】
前記導光部材は、前記光源からの前記閃光を導光する方向に沿って厚さが増加していることを特徴とする請求項２に記載の閃光発光装置。
【請求項６】
前記反射部材は前記導光部材に対向する平面状の反射面を有することを特徴とする請求項２〜５のうちいずれか一項に記載の閃光発光装置。
【請求項７】
前記反射部材は、前記導光部材と対向する階段状に傾斜した反射面を有することを特徴とする請求項２〜６のうちいずれか一項に記載の閃光発光装置。
【請求項８】
前記反射部材は、前記導光部材が前記閃光を射出する端面とは前記方向に沿って反対側の端面を覆うような断面Ｌ字形状を有することを特徴とする請求項２〜７のうちいずれか一項に記載の閃光発光装置。
【請求項９】
前記発光パネルは、前記光学部材から射出された光を射出する光射出部を有することを特徴とする請求項１に記載の閃光発光装置。
【請求項１０】
請求項１〜９のうちいずれか一項に記載の閃光発光装置を有することを特徴とする撮像装置。
【発明の詳細な説明】
【技術分野】
【０００１】
本発明は、閃光発光装置及び撮像装置に関する。
【背景技術】
【０００２】
光源である閃光発光管から射出される光を反射傘（リフレクタ）を介して射出する閃光発光装置は従来から知られており、バウンス機能を有する閃光発光装置も知られている。近年、バウンス機能を有して配光特性に優れた小型の閃光発光装置の需要は益々高まっている。
【０００３】
従来の閃光発光装置におけるバウンス化手段として、閃光発光管の前方を覆う位置と退避する位置とに移動可能な回折格子により、閃光発光装置の発光部の照射方向及び配光角を変更する光学系が知られている（例えば、特許文献１参照）。また、ミラーを補助光の光路上に配置し、補助光を被写体から離れた方向に向けて反射させるバウンス位置と、補助光の光路上から退避する退避位置に回転移動させる回転移動機構を有する光学系も知られている（例えば、特許文献２参照）。
【特許文献１】特開平０６−２４２４９８号公報
【特許文献２】特開２００５−７０３０３号公報
【発明の開示】
【発明が解決しようとする課題】
【０００４】
しかしながら、特許文献１は、光束の照射方向を変えるために回折格子を用いているが、これでは、被写体の正面に向かう光束が残ってしまい、比較的強度の弱いバウンス光と比較的強度の強い直接光とが混合するために配光強度ムラを生じやすい。また、特許文献２は、回転移動機構が大きなスペースを必要とするため、撮像装置の外側に大きく張り出すという問題がある。
【０００５】
そこで、本発明は、バウンス機能を有して配光特性に優れた小型の閃光発光装置を提供することを例示的な目的とする。
【課題を解決するための手段】
【０００６】
本発明の一側面としての閃光発光装置は、閃光を発光する光源と、前記光源の周りに配置されて、前記光源からの前記閃光を反射するリフレクタと、前記光源及び前記リフレクタから射出された前記閃光を透過する発光パネルと、を有する閃光発光部を有する閃光発光装置において、前記光源からの前記閃光を前記リフレクタの光軸とは垂直な方向に導光する光学部材と、前記閃光発光部の前記リフレクタと前記発光パネルとの間の挿入位置と、前記閃光発光部の前記リフレクタと前記発光パネルとの間から退避した退避位置と、の間で前記光学部材を前記方向に沿って移動する移動手段と、を設け、前記光学部材が前記挿入位置にある時にバウンス発光を行い、前記光学部材が前記退避位置にある時に前記閃光発光部による閃光発光を行うことを特徴とする。
【発明の効果】
【０００７】
本発明によれば、バウンス機能を有して配光特性に優れた小型の閃光発光装置を提供することができる。
【発明を実施するための最良の形態】
【０００８】
以下、添付図面を参照して、本発明の実施例を説明する。
【実施例１】
【０００９】
図１〜図５は、実施例１の閃光発光装置を内蔵したいわゆるデジタルコンパクトカメラ（撮像装置）を示している。図１はカメラの正面図、図２はカメラの斜視図である。Ｘ方向はカメラの幅方向、Ｙ方向はカメラの長さ方向、Ｚ方向はカメラの高さ方向である。
【００１０】
図１及び図２において、１はカメラ本体、２はカメラ本体１の前面ほぼ中央に設けられた撮影レンズ鏡筒部、３はカメラ本体１の上部向かって右側に配置された閃光発光装置、４はレリーズボタン、５はカメラの各種モードを切り替える操作ボタンである。また、６は外光の明るさを測定する測光装置の覗き窓、７はファインダーの覗き窓である。なお、本発明の閃光発光装置が搭載される撮像装置は、図１及び図２に示すデジタルコンパクトカメラに限定されず、一眼レフカメラやビデオカメラなど他の撮像装置であってもよい。
【００１１】
以下、図３〜図５を参照して、閃光発光装置３について説明する。図３は、閃光発光装置３のバウンス時の状態を示す概略断面図であり、図４は、閃光発光装置３の通常の閃光発光時（非バウンス時）の状態を示す概略断面図である。図５は、図３の部分拡大図であり、代表光線の光線追跡図も合わせて示している。Ｘ方向は閃光発光装置３の幅方向、Ｙ方向は閃光発光装置３の長さ方向、Ｚ方向は閃光発光装置３の高さ方向である。特に、＋Ｘ方向は、閃光発光装置３が閃光（光）を発光する前方方向であり、−Ｘ方向は後方方向となる。Ｙ方向は左右方向であり、＋Ｚ方向は上方方向となる。
【００１２】
図３〜図５において、１１は光源としてのＹ方向に延びる円筒直管形状の閃光発光管（キセノン管）であり、閃光を発光する。１２は閃光発光管１１から射出した光束のうち光軸Ｌ方向の後方及び上下方向に向かう成分を前方に反射させる反射傘（リフレクタ）である。反射傘１２は、閃光発光管１１の周りに配置されて、閃光発光管１１の円筒形状の中心線に沿って延び、閃光発光管１１からの閃光（光）を前方に反射する。反射傘１２は、内面が高反射率面で形成された光輝アルミ等の金属材料又は内面に高反射率の金属蒸着面が形成された樹脂材料等で構成されている。反射傘１２の光軸Ｌの方向はＸ方向であるため、光軸Ｌに垂直な方向はＹ及びＺ方向となる。反射傘１２は、断面形状が、円、楕円、非球面その他の曲面形状を有する。反射傘１２の光軸Ｌと撮像レンズ鏡筒２の撮像レンズの光軸は共にＸ方向に平行である。
【００１３】
１３は、閃光発光管１１及び反射傘１２から射出された閃光を透過する透明体で形成された断面Ｌ字形状の光学部材（発光パネル）である。光学部材１３の正面側には、反射傘１２の射出開口を覆い、反射傘１２の射出部の前方に配置され、図１及び図２に示すように、閃光発光管１１及び反射傘１２からの射出光を集光させるフレネルレンズ部１３ａが形成されている。また、光学部材１３は、導光部材１４からの射出光束の全てを透過できるように上方まで回り込み、上方にも別光路からなる光射出部１３ｂを有する。光学部材１３は、ポリメチルメタクリレート（ＰＭＭＡ）等の透過率の高い光学用有機高分子材料を使用している。
【００１４】
閃光発光管１１、反射傘１２及び光学部材１３は通常の閃光発光部を構成する。
【００１５】
閃光発光装置３は、閃光発光管１１からの閃光を反射傘１２の光軸Ｌとは垂直な方向（＋Ｚ方向）に導光する光学部材を更に有する。光学部材は、閃光発光管１１側（光源側）に配置され、透明体からなる導光部材１４と、導光部材１４の入射面１４ａとは反対側に配置された反射部材１５と、を有する。
【００１６】
導光部材１４は、反射傘１２と光学部材１３との間の挿入位置に進退自在に配置される。導光部材１４は、閃光発光管１１からの直接光と反射傘１２による反射光をその入射面１４ａで受光する。即ち、入射面１４ａは、反射傘１２の射出開口を覆うように構成されている。導光部材１４の被写体側（入射面１４ａと反対側）には、微細なプリズム部（反射手段）１４ｂが形成され、更にその外側には、断面Ｌ字形状の反射部材１５が配置されている。
【００１７】
反射部材１５は、導光部材１４に対向する平面状の反射部１５ａによって不要な光束を光源側へ再入射させて光利用効率を向上させると共に、光源からの射出光束が直接被写体に照射されるのを防止している。なお、導光部材１４と反射部材１５は一体的に構成され、Ｚ方向に移動手段１６によって移動可能である。反射部材１５は、折り曲げ部１５ｂを更に有する。折り曲げ部１５ｂは導光部材１４の下側の端面（導光部材１４が閃光を射出する端面１４ｃとはＺ方向に沿って反対側の端面）を覆い、不要な端面からの光束の射出による光損失を抑えている。入射面１４ａと反射部１５ａは平行で光軸Ｌに垂直である。
【００１８】
本実施例は、移動手段１６を反射部材１５の折り曲げ部１５ｂに接続しているが、その位置は限定されない。例えば、退避方向は下側ではなく側方又は上側であってもよい。移動手段１６は、このように反射傘１２の光軸Ｌに垂直な方向（本実施例ではＺ方向）に沿って光学部材（１４、１５）を移動させ、回転を伴わないので移動機構は省スペースとなり、小型化を損なわない。
【００１９】
カメラは、動作モードとしてストロボオートモード（通常の閃光発光モード（ノーマルモード）、バウンスモード）を設定可能なモード設定部を操作ボタン５に備えている。ストロボオートモードに設定されるとレリーズボタン４がユーザーによって押された後に、測光装置で測定された外光の明るさと、装填されたフィルムやＣＣＤ等の撮像素子の感度とに応じて閃光発光装置３を発光させるか否かを不図示のＣＰＵが判断する。ＣＰＵが撮影状況下において閃光発光装置３を発光させると判断した場合、ＣＰＵは発光信号を出力し、不図示の発光制御回路から閃光発光管１１を発光させる。
【００２０】
その際、モード設定部が通常の閃光発光モード（ノーマルモード）を設定していれば、図４に示すように、移動手段１６は導光部材１４と反射部材１５を反射傘１２と光学部材１３との間から退避した退避位置（非バウンス位置）に移動する。閃光発光管１１から射出した光束のうち後方及び上下方向に射出された光束は反射傘１２で反射し、また、前方に射出した光束は光学部材１３に直接に入射してフレネルレンズ部１３ａで所定の配光特性に変換された後、被写体側に照射される。
【００２１】
一方、モード設定部がバウンスモードを設定していれば、図３に示すように、移動手段１６は、導光部材１４と反射部材１５を反射傘１２と光学部材１３との間の挿入位置（バウンス位置）に移動させる。これにより、入射面１４ａから入射した光束は、導光部材１４のプリズム部１４ｂの全反射作用によって、閃光発光管１１からの射出光束を図中上方の導光部材１４の端面１４ｃに導くことができる。このとき、反射部材１５が、導光部材１４によって上方に導けない光束を、再度光源側に戻すことができる。
【００２２】
反射部材１５が光源側に戻した光束は、反射傘１２によって導光部材１４の入射面１４ａから再度入射し、導光部材１４の端面１４ｃに導かれる。この繰り返しによって、閃光発光管１１から射出した光束はそのほとんどを導光部材１４の端面１４ｃに導くことができる。なお、導光部材１４に入射した光束は、導光部材１４の各端面に導かれるが、プリズム部１４ｂの作用により、特に上方に導かれる光束を増加させることができる。
【００２３】
実施例１は、バウンス時に導光部材１４の端面１４ｃを介して光射出部１３ｂに光束を導いている。また、実施例１は、反射部材１５の折り曲げ部１５ｂで導光部材１４の下側の端面を覆い、不要な端面からの光束の射出による光損失を抑えている。この結果、光束の射出面は上方の端面１４ｃのみに限定され、狭い射出面に光束を集中させることができる。
【００２４】
以下、図５を参照して、光線追跡の様子を説明する。閃光発光管１１の中心部付近から射出した光束を代表光線として説明する。閃光発光管１１から射出した光束は導光部材１４の入射面１４ａから入射し、入射面で屈折した後、裏面に形成したプリズム部１４ｂで全反射して端面１４ｃに導かれる。導光中は、入射面１４ａ側での全反射とプリズム部１４ｂの全反射を繰り返して端面１４ｃに到達し、端面１４ｃから上方に射出される。導光部材１４を射出した光束は、光学部材１３の上方の光射出部１３ｂより射出し、バウンス光として機能する。このように、薄い導光部材１４の出し入れという簡単な動作で、通常の閃光発光装置を、バウンス機能を有する閃光発光装置に変換させることが可能となる。
【００２５】
導光部材１４及び反射部材１５は、閃光発光装置３の光学系の中で十分に薄くスペースを取らないため、小型化に寄与する。また、バウンス時に、反射部材１５が、正面への光漏れを防止するので配光ムラのないバウンス発光を実現することができる。
【００２６】
本実施例では、透明な平板部材の導光部材１４の表面（入射面１４ａと反対の面）に微細なプリズム部１４ｂを形成して光束を上方の端面１４ｃに導いているが、導光部材１４の構成は本実施例の形状に限定されない。例えば、導光部材１４の厚みを変化させ、上方に向かうにつれて（端面１４ｃに向かって）徐々に厚くする構成であってもよい。また、導光部材１４の表面（入射面１４ａと反対の面）を一部拡散面（反射手段）として、導光部材１４の端面１４ｃに向かって光束の一部を向かわせる構成を採用してもよい。更に、導光部材１４の材料そのものの中に、指向性を持たせる物質を含めてもよい。
【００２７】
また、反射部材１５の構成も本実施例の平面形状に限定せず、再入射後の光束が導光部材１４の端面１４ｃに向かうような反射面形状（断面鋸形状など）としてもよい。
【実施例２】
【００２８】
図６〜図１０は、実施例２の閃光発光装置を内蔵したいわゆるデジタルコンパクトカメラ（撮像装置）を示している。図６はカメラの正面図、図７はカメラの斜視図である。Ｘ方向はカメラの幅方向、Ｙ方向はカメラの長さ方向、Ｚ方向はカメラの高さ方向である。
【００２９】
実施例２は、バウンスの方向を上方のみに限定した実施例１とは異なり、上方に加えて左右方向にもバウンスさせる例である。この構成は、周囲の壁の色が白色であるという環境が整えば、バウンス光の方向が天井方向に限定されず、不自然な影の少ないより自然なバウンス撮影が可能となる。
【００３０】
図６及び図７において、２１はカメラ本体、２２はカメラ本体２１の前面ほぼ中央に設けられた撮影レンズ鏡筒部、２３はカメラ本体２１の上部向かって右側に配置された閃光発光装置、２４はレリーズボタンである。また、２５はカメラの各種モードを切り替える操作ボタン、２６は外光の明るさを測定する測光装置の覗き窓、２７はファインダーの覗き窓である。なお、本発明の閃光発光装置が搭載される撮像装置は、図６及び図７に示すデジタルコンパクトカメラに限定されず、一眼レフカメラやビデオカメラなど他の撮像装置であってもよい。
【００３１】
以下、図８〜図１０を参照して、閃光発光装置２３について説明する。図８は、閃光発光装置２３のバウンス時の状態を示す概略断面図であり、図９は、閃光発光装置２３の通常の発光時（非バウンス時）の状態を示す概略断面図である。図１０は、図７のＡＡ断面図であり、閃光発光装置２３の閃光発光管３１の軸方向で切った横断面図である。Ｘ方向は閃光発光装置２３の幅方向、Ｙ方向は閃光発光装置２３の長さ方向、Ｚ方向は閃光発光装置２３の高さ方向である。特に、＋Ｘ方向は、閃光発光装置２３が閃光（光）を発光する前方方向であり、−Ｘ方向は後方方向となる。Ｙ方向は左右方向であり、＋Ｚ方向は上方方向となる。
【００３２】
閃光発光装置２３は、発光部をカメラ本体２１から突出させ、左右の壁面に向かってバウンス光を照射しやすいように構成されている。３１は光源としてのＹ方向に延びる円筒直管形状の閃光発光管（キセノン管）であり、閃光を発光する。３２は閃光発光管３１から射出した光束のうち光軸Ｌ方向の後方及び上下方向に向かう成分を前方に反射させる反射傘（リフレクタ）である。反射傘３２は、閃光発光管３１の周りに配置されて、閃光発光管３１の円筒形状の中心線に沿って延び、閃光発光管３１からの閃光（光）を前方に反射する。反射傘３２は、内面が高反射率面で形成された光輝アルミ等の金属材料又は内面に高反射率の金属蒸着面が形成された樹脂材料等で構成されている。反射傘３２の光軸Ｌの方向はＸ方向であるため、光軸Ｌに垂直な方向はＹ及びＺ方向となる。反射傘３２は、断面形状が、円、楕円、非球面その他の曲面形状を有する。反射傘３２の光軸Ｌと撮影レンズ鏡筒部２２の撮影レンズの光軸は共にＸ方向に平行である。
【００３３】
３３は、閃光発光管３１及び反射傘３２から射出された閃光を透過する透明体で形成された断面Ｌ字形状の光学部材（発光パネル）である。光学部材３３の正面側には、反射傘３２の射出開口を覆い、反射傘３２の射出部の前方に配置され、図６及び図７に示すように、閃光発光管３１からの射出光を集光させるフレネルレンズ部３３ａが形成されている。また、光学部材３３は、導光部材３４からの射出光束の全てを透過できるように上方まで回り込むと同時に左右方向はカメラ本体２１から張り出しており、上方に別光路からなる光射出部３３ｂを有すると共に側方にも別光路からなる光射出部３３ｃ（図１０）を有する。光学部材３３は、ポリメチルメタクリレート（ＰＭＭＡ）等の透過率の高い光学用有機高分子材料を使用している。
【００３４】
閃光発光管３１、反射傘３２及び光学部材３３は通常の閃光発光部を構成する。
【００３５】
閃光発光装置２３は、閃光発光管３１からの閃光を反射傘３２の光軸Ｌとは垂直な方向（＋Ｚ方向）に導光する光学部材を更に有する。光学部材は、閃光発光管３１側（光源側）に配置され、透明体からなる導光部材３４と、導光部材３４の入射面３４ａとは反対側に配置された反射部材３５と、を有する。
【００３６】
導光部材３４は、反射傘３２と光学部材３３との間に進退自在に配置される。導光部材３４は、閃光発光管３１からの直接光と反射傘３２による反射光をその入射面３４ａで受光する。即ち、入射面３４ａは、反射傘３２の射出開口を覆うように構成されている。
【００３７】
導光部材３４の被写体側（入射面３４ａと反対側）には、断面Ｌ字形状の反射部材３５が配置されている。反射部材３５は、導光部材３４に対向する階段状に傾斜した複数の反射面３５ａによって不要な光束を導光部材３４や光源側へ再入射させて光利用効率を向上させると共に、光源からの射出光束が直接被写体に照射されるのを防止している。なお、導光部材３４と反射部材３５は一体的に構成され、Ｚ方向に移動手段３６によって移動可能である。なお、図９は、便宜上、移動手段３６を省略している。反射部材３５は、折り曲げ部３５ｂを更に有する。折り曲げ部３５ｂは導光部材３４の下側の端面（導光部材３４が閃光を射出する端面３４ｃとはＺ方向に沿って反対側の端面）を覆い、不要な端面からの光束の射出による光損失を抑えている。入射面３４ａは光軸Ｌに垂直である。
【００３８】
本実施例は、移動手段３６を反射部材３５の折り曲げ部３５ｂに接続しているが、その位置は限定されない。例えば、退避方向は下側ではなく側方又は上側であってもよい。移動手段３６は、このように反射傘３２の光軸Ｌに垂直な方向（本実施例ではＺ方向）に沿って光学部材（３４、３５）を移動させ、回転を伴わないので移動機構は省スペースとなり、小型化を損なわない。
【００３９】
カメラは、動作モードとしてストロボオートモード（通常の閃光発光モード（ノーマルモード）、バウンスモード）を設定可能なモード設定部を操作ボタン２５に備えている。ストロボオートモードに設定されるとレリーズボタン２４がユーザーによって押された後に、測光装置で測定された外光の明るさと、装填されたフィルムやＣＣＤ等の撮像素子の感度とに応じて閃光発光装置２３を発光させるか否かを不図示のＣＰＵが判断する。ＣＰＵが撮影状況下において閃光発光装置２３を発光させると判断した場合、ＣＰＵは発光信号を出力し、不図示の発光制御回路から閃光発光管３１を発光させる。
【００４０】
その際、モード設定部が通常の閃光発光モード（ノーマルモード）を設定していれば、図９に示すように、移動手段３６は導光部材３４と反射部材３５を反射傘３２と光学部材３３との間から退避した退避位置（非バウンス位置）に移動する。閃光発光管３１から射出した光束のうち後方及び上下方向に射出された光束は反射傘３２で反射し、また、前方に射出した光束は光学部材３３に直接に入射してフレネルレンズ部３３ａで所定の配光特性に変換された後、被写体側に照射される。
【００４１】
一方、モード設定部がバウンスモードを設定していれば、図８に示すように、移動手段３６は、導光部材３４と反射部材３５を反射傘３２と光学部材３３との間の挿入位置（バウンス位置）に移動させる。これにより、入射面３４ａから入射した光束は、導光部材３４が楔状（台形形状）に上方に向かうにつれて徐々に厚くなるように構成されているため、徐々に導光部材の厚い方向、即ち、上方に導かれる。また、反射部材３５の反射面３５ａで反射した光束が導光部材３４に入射した際には、導光部材に入射する角度が大きくなり、導光部材３４内で全反射して上方に導かれる可能性が高くなる。このように、導光部材３４を楔状とし、導光部材３４の入射面３４ａと反対側に導光部材３４への入射角度が大きくなるような傾斜を持った反射面３５ａを配置することで、光源からの光束を導光部材３４の端面３４ｃに導き易くしている。このとき、反射部材３５が、導光部材３４によって上方に導けない光束を、再度光源側に戻すことができる。
【００４２】
反射部材３５が光源側に戻した光束は、反射傘３２によって導光部材３４の入射面３４ａから再度入射し、導光部材３４の端面３４ｃに導かれる。この繰り返しによって、閃光発光管３１から射出した光束はそのほとんどを導光部材３４の端面３４ｃに導くことができる。本実施例では、実施例１と同様に、折り曲げ部３５ｂを使用して光束を再度戻す構成をとっているので、不要な端面からの光束の射出による光損失を極力抑えることができる。
【００４３】
以下、図１０を参照して、光源から射出された光束のうち左右方向にバウンスする構成について説明する。実施例２では、図１０の矢印で示すように、バウンス光は上方だけでなく左右方向にも左右の端面３４ｄを介して射出する。導光部材３４から射出された光束は、光学部材３３の光射出部３３ｃから射出した後、カメラの側方に位置する壁面でバウンスした後、被写体に照射される。このように、薄い導光部材の出し入れという簡単な動作で、通常の閃光発光装置を、上方と左右方向の３方向へのバウンス発光が可能な閃光発光装置に変換させることが可能となる。
【００４４】
導光部材３４及び反射部材３５は、閃光発光装置３の光学系の中で十分に薄くスペースを取らないため、小型化に寄与する。また、バウンス時に、反射部材３５が、正面への光漏れを防止するので配光ムラのないバウンス発光を実現することができる。
【図面の簡単な説明】
【００４５】
【図１】実施例１のカメラの正面図である。
【図２】図１に示すカメラの斜視図である。
【図３】図１に示す閃光発光装置のバウンス時の状態を示す概略断面図である。
【図４】図１に示す閃光発光装置の非バウンス時の状態を示す概略断面図である。
【図５】図３の部分拡大断面図である。
【図６】実施例２のカメラの正面図である。
【図７】図６に示すカメラの斜視図である。
【図８】図６に示す閃光発光装置のバウンス時の状態を示す概略断面図である。
【図９】図７に示す閃光発光装置の非バウンス時の状態を示す概略断面図である。
【図１０】図７に示すＡＡ断面図である
【符号の説明】
【００４６】
１、２１          カメラ本体
２、２２          撮影レンズ鏡筒部
３、２３          閃光発光装置
４、２４          レリーズボタン
１１、３１        閃光発光管
１２、３２        反射傘
１３、３３        光学部材
１４、３４        導光部材
１５、３５        反射部材
１６、３６        移動手段
【図１】
2009265233.tif 000003
【図２】
2009265233.tif 000004
【図３】
2009265233.tif 000005
【図４】
2009265233.tif 000006
【図５】
2009265233.tif 000007
【図６】
2009265233.tif 000008
【図７】
2009265233.tif 000009
【図８】
2009265233.tif 000010
【図９】
2009265233.tif 000011
【図１０】
2009265233.tif 000012